(57)【要約】【課題】大胸筋や二の腕を効果的に鍛えることができる運動補助装置を提供する。【解決手段】座席２を左右軸回りに揺動する揺動装置３を備える。座席２の前端部から立上部１１を立ち上げる。立上部１１の上端部に回動体１０を左右軸線回りに回動自在に軸支する。回動体１０の左右両側部分の夫々に側面視で回動体１０の回動中心から同一方向に外れた箇所に位置する把持部９を設ける。座席２の着座面６に着座し且つ両手で各把持部９を把持した使用者１の両腕の肘が回動体１０の回動に伴い屈伸されるようにする。【選択図】図１
2009160174.tif 000002
【特許請求の範囲】
【請求項１】
座席を左右軸回りに揺動する揺動装置を備えた運動補助装置において、座席の前端部から立上部を立ち上げると共に該立上部の上端部に回動体を左右軸線回りに回動自在に軸支し、該回動体の左右両側部分の夫々に側面視で回動体の回動中心から同一方向に外れた箇所に位置する把持部を設け、座席の着座面に着座し且つ両手で各把持部を把持した使用者の両腕の肘が回動体の回動に伴い屈伸されるようにしたことを特徴とする運動補助装置。
【発明の詳細な説明】
【技術分野】
【０００１】
本発明は、使用者が着座した座席を揺動させることで、前記使用者に乗馬を模した運動負荷を付与する運動補助装置に関する。
【背景技術】
【０００２】
従来より、座席を前後回動方向に揺動する揺動装置を備えた運動補助装置が利用されており、使用者が着座した座席を揺動させることで、使用者に乗馬を模した運動負荷を付与し、バランス能力を訓練したり、足腰の強化、ウェストの引き締め、ダイエット効果、姿勢を整える効果などを得るものがある（例えば特許文献１）。
【０００３】
しかし、この種の運動補助装置は特に大胸筋や二の腕を効果的に鍛えたりストレッチしたりするものではない。
【特許文献１】特開２００６−６１６７２号公報
【発明の開示】
【発明が解決しようとする課題】
【０００４】
本発明は上記従来の問題点に鑑みてなされたものであって、上半身、特に大胸筋や二の腕を効果的に鍛えることができる運動補助装置を提供することを課題とする。
【課題を解決するための手段】
【０００５】
上記課題を解決するために本発明の請求項１に係る運動補助装置は、座席２を左右軸回りに揺動する揺動装置３を備えた運動補助装置において、座席２の前端部から立上部１１を立ち上げると共に該立上部１１の上端部に回動体１０を左右軸線回りに回動自在に軸支し、該回動体１０の左右両側部分の夫々に側面視で回動体１０の回動中心から同一方向に外れた箇所に位置する把持部９を設け、座席２の着座面６に着座し且つ両手で各把持部９を把持した使用者１の両腕の肘が回動体１０の回動に伴い屈伸されるようにしたことを特徴とする。
【０００６】
このように把持部９を設けることで、座席２の着座面６に着座した使用者１は両手で各把持部９を把持して体を支えることができる。また、座席２の着座面６に着座し且つ両手で各把持部９を把持した使用者１の両腕の肘が回動体１０の回動に伴い屈伸されるようにしたので、特に座席２の左右軸回りの揺動時には該座席２の揺動に合わせて肘を曲げ伸ばしできる。
【発明の効果】
【０００７】
本発明では、座席の着座面に着座した使用者が両手で各把持部を把持して体を支えることができ、また、特に座席の左右軸回りの揺動時には、該座席の揺動に合わせて肘を曲げ伸ばしでき、上半身、特に上腕筋や二の腕のストレッチや筋活動を効果的に行うことができる。
【発明を実施するための最良の形態】
【０００８】
以下、本発明を添付図面に示す実施形態に基づいて説明する。図１は本実施形態の運動補助装置の側面図であり、図２はその正面図であり、図３は座席２の左右軸回りの揺動時における使用者１の動きを示す説明図である。なお、以下の説明で用いる方向は座席２に着座した使用者１を基準とする。即ち図１の矢印ａに示す方向を前方、矢印ｂに示す方向を後方、図１の紙面に対して垂直な方向を左右方向とする。
【０００９】
図１乃至図３に示す運動補助装置は、馬の背や鞍を模した形状で使用者１が跨って着座する座席２と、モータからなる駆動部（図示しない）を備えて座席２を揺動させる揺動装置３と、揺動装置３を介して座席２を支持する脚部４を備えている。
【００１０】
座席２の上面における前後方向の中間部は前後両端部よりも下方に凹んだ凹部８となり、凹部８の底面が使用者１の臀部を支持する着座面６となっている。
【００１１】
脚部４は床面１５に設置される脚台４ａと、その脚台４ａから立設される脚柱４ｂとで構成してあり、脚柱４ｂに揺動装置３を設けている。
【００１２】
揺動装置３は図３（ａ）に示すように座席２が略水平な状態又は後下がりとなる後傾姿勢（図示せず）から図３（ｂ）に座席２が前下がりとなる前傾姿勢となるまでの範囲で脚部４に対して左右軸線回り（図１中矢印ｃに示す方向）に揺動するものである。
【００１３】
なお、上記座席２の左右軸線回りの揺動とは、側面視における座席２の移動軌跡が円弧状となるように揺動させるものであっても良いし、また、座席２の移動軌跡が楕円弧状等の真円ではない略円弧状の移動軌跡となるように揺動させるものであっても良いものとする。
【００１４】
また、上記揺動装置３は座席２を既述の左右軸線回りにのみ揺動させるものであっても良いが、より効果的な運動効果を得るには、上記左右軸線回りの揺動を含めた多自由度の揺動を行わせることが好ましい。多自由度の例としては、上記左右軸線回りの揺動（ローリング）に加えて、前後方向の直線往復運動、左右方向の直線往復運動、上下方向の直線往復運動、前後軸線回りの揺動（ピッチング）、上下軸線回りの揺動（ヨーイング）の５自由度を加えた６自由度で動作可能なものや、該６自由度のうちヨーイングを除く５自由度で動作可能なもの等が挙げられる。また、揺動装置３は可撓性を有するカバー５により覆われた状態で運動補助装置に内装してある。
【００１５】
座席２の着座面６の前方に位置する前端部の上面には操作部７を設けてある。操作部７を操作することで揺動装置３により座席２を駆動でき、これにより着座面６に着座した使用者１に対して乗馬を模した運動負荷を付与できる。
【００１６】
ここで、座席２の前端部から立上部１１を立ち上げると共に該立上部１１の上端部に回動体１０を左右軸線回りに回動自在に軸支してあり、回動体１０の左右両側部分には着座面６に着座した使用者１が把持するための把持部９を夫々設けている。
【００１７】
立上部１１は棒状で図１のように座席２を水平とした時に上方に向けて突出するものであり、立上部１１の上端部には立上部１１を左右に貫通する軸受部１２を設けている。軸受部１２は、図１のように水平とした座席２の着座面６に使用者１が着座した時に、使用者１の体に沿わせた腕の肘の高さと略同レベルとなる位置に設けてある。
【００１８】
回動体１０はコ字棒状に形成してあり、人の肩幅程度の長さを有する左右に長い回動軸部１３と、回動軸部１３の両端部から回動軸部１３の軸線方向と直交する方向に突出したい突部１４とで構成してあり、両突部１４の回動軸部１３からの突出長さは同じである。回動体１０の左右方向の中間部を構成する回動軸部１３は立上部１１の軸受部１２を貫通し且つ左右軸線回りに回動自在に軸支してあり、これによって回動体１０は立上部１１に軸支されている。なお、回動軸部１３は立上部１１に対して左右方向に移動不能に支持されているものとする。
【００１９】
回動体１０の両側の突部１４の先端には球状の把持部９を夫々設けてあり、両把持部９は側面視で回動体１０の回動中心となる軸受部１２から同一方向に外れた箇所に位置し、且つ側面視で両把持部９は重複している。また、各把持部９の軸受部１２からの距離を決定する回動体１０の突部１４の突出長さは、座席２の着座面６に着座し且つ両手で各把持部９を把持した使用者の両腕の肘は前記回動体１０の軸受部１２を中心とする回動に伴い図３に示すように屈伸できる長さに設定してある。
【００２０】
しかして、上記運動補助装置にあっては、座席２の着座面６に着座した使用者１は両手で各把持部９を把持した状態で体を支えることができる。また、特に座席２の左右軸回りの揺動時には以下の利点がある。
【００２１】
即ち、座席２の前後方向の傾斜角度の変化が伴う左右軸回りの揺動時には、各把持部９を把持した使用者１の両腕の肘を回動体１０の回動に伴い屈伸でき、これにより座席２の左右軸回りの揺動に合わせて両腕の屈曲角度を徐々に変化させて肘を曲げ伸ばしできる。従って、例えば座席２の左右軸回りの揺動に対応するために両手で各把持部９を把持して主に上半身を腕の力で支える場合には、図３（ａ）に示すように座席２の略水平時又は後傾時には回動体１０の両突部１４及び各突部１４の先端に設けた把持部９を軸受部１２よりも後側に位置させて肘を屈曲し、また、図３（ｂ）に示す前傾時には回動体１０の両突部１４及び各突部１４の先端に設けた把持部９を軸受部１２よりも前側に位置させて肘を伸展するという動作を促すことができる。また、図示は省略するが、両手で各把持部９を把持した状態で両腕の力をあまり使わずに座席２の左右軸回りの揺動に主に体の重心の移動により対応する場合には、上記とは逆に座席２の略水平時又は後傾時に肘を伸展し且つ座席２の前傾時に肘を屈曲するといった動作を行うことができる。従って上記によりバストアップや二の腕のシェイプアップに効果的な上半身における上腕筋や二の腕のストレッチや筋活動を効果的に行うことができる。
【００２２】
なお、図示例では回動体１０をコ字状に形成したが、これに限定されるものではなく、回動体１０の左右両側に設けた両把持部９が側面視で回動体１０の回動中心となる軸受部１２から同一方向に外れた箇所に位置するものであれば、例えば両突部１４の突出方向を回動軸部１３の軸線方向と直交する方向を除く回動軸部１３の軸線方向と交差する方向に突出する等しても良い。
【図面の簡単な説明】
【００２３】
【図１】本発明の実施形態の一例の運動補助装置を示す側面図である。
【図２】同上の運動補助装置の正面図である。
【図３】同上の運動補助装置の座席を左右軸回りに揺動した時における使用者の動きを示す説明図である。
【符号の説明】
【００２４】
２  座席
３  揺動装置
１０  回動体
１１  立上部
【図１】
2009160174.tif 000003
【図２】
2009160174.tif 000004
【図３】
2009160174.tif 000005